(57)【特許請求の範囲】
【請求項１】
手押し台車の荷台の下面又は荷台の内部に荷台上の荷物に掛け回す荷掛けベルトを巻出しと自動巻取り可に巻装した荷掛けベルト巻取りドラムを備え、該荷掛けベルト巻取りドラムの爪車に係合して同ドラムをベルト巻取り方向に間欠送りし上記荷物に掛け回されている荷掛けベルトによる間欠荷締めを図る間欠荷締め機構を具備すると共に、該間欠荷締め機構によって間欠送りされた荷掛けベルト巻取りドラムの上記爪車に係合して同ドラムを間欠送り位置に保持するロック機構を具備する荷掛けベルト付き手押し台車において、繰り返し踏み込みによって上記間欠荷締め機構による上記間欠送りと上記間欠荷締めを図るベルト荷締め操作用足踏みペダルを備えると共に、踏み込みによって上記間欠荷締め機構とロック機構の荷掛けベルト巻取りドラムに対する係合を解除するロック解除操作用ペダルを備え、上記ベルト荷締め操作用足踏みペダルとロック解除操作用ペダルとを運行用把手を立ち上げた側の上記荷台の後端面から突出して配し、更に上記ロック解除操作用ペダルに係脱可に係合して上記踏み込み状態と上記ロック解除状態を保持するペダルロック手段を設け上記荷掛けベルト巻取りドラムからの荷掛けベルトの巻出しと自動巻取りを許容する構成としたことを特徴とする荷掛けベルト付き手押し台車。
【発明の詳細な説明】
【０００１】
【発明の属する技術分野】
本発明は荷掛けベルト付き手押し台車に関する。
【０００２】
【従来の技術】
実開平６−６７２５５号公報や特許第３０１４３５３号公報は、台車に荷掛けベルト巻取りドラムを装備し、該荷掛けベルト巻取りドラムから荷掛けベルトを巻出して荷台上に積載した荷物に掛け回し荷締めを図る構成とした荷掛けベルト付き手押し台車を示している。
【０００３】
【発明が解決しようとする課題】
而して上記先行例は、何れも荷物に掛け回した荷掛けベルトの荷締め力を荷掛けベルト巻取りドラム内の巻戻し用渦巻バネの巻き戻し力に依存している。即ち既知の荷掛けベルト巻取りドラムは、同ドラム内にベルト巻戻し用（巻取り用）の渦巻バネを内蔵しており、この渦巻バネにより荷掛けベルトを常にベルト巻取り方向に付勢し、この渦巻バネに抗し荷掛けベルトを巻出し、或いは同バネに従い自動巻取りが行えるようにしており、この巻戻し用渦巻バネ力によって上記荷台上の荷物に対する荷締め力を得んとしている。
【０００４】
然しながら上記荷掛けベルト巻取りドラムを巻戻し方向に付勢する巻戻し用渦巻バネは、巻出した荷掛けベルトに何らの負荷（抵抗）が加わっていない場合には容易に巻戻しすることが可能であるが、荷掛けベルトを荷台上の荷物に掛け回し負荷が加わっている状態では、上記巻戻しが困難になり、上記渦巻バネの巻戻しバネ力では充分な荷締め力を得ることができない問題点、ひいては手押し台車による手押し走行中における荷崩れを禁じ難い問題点を有している。
【０００５】
【課題を解決するための手段】
本発明は上記荷掛けベルト付き手押し台車における上記問題点を解決し、上記荷締め力の強弱を渦巻バネに依存せずに段階的に設定できるようにして上記手押し台車の機能改善を図ったものである。
【０００６】
その手段として、上記手押し台車に上記荷掛けベルト巻取りドラムを装備せしめると共に、該荷掛けベルト巻取りドラムをベルト巻取り方向に間欠送りして上記荷物に掛け回されている荷掛けベルトによる間欠荷締めを図る間欠荷締め機構を具備せしめ、上記荷締め力の自在なる設定を可能にしたものである。
【０００７】
又上記間欠荷締め機構によって間欠送りされた荷掛けベルト巻取りドラムを間欠送り位置に保持するロック機構を具備する。
そして上記間欠荷締め機構による上記間欠送りと上記間欠荷締めを図るベルト荷締め操作用足踏みペダルと、上記間欠荷締め機構とロック機構の荷掛けベルト巻取りドラムに対する係合を解除するロック解除操作用ペダルを具備せしめ、上記ベルト荷締め操作用足踏みペダルとロック解除操作用ペダルとを運行用把手を立ち上げた側の上記荷台の後端面から突出して配し、更に上記ロック解除操作用ペダルに係脱可に係合して上記踏み込み状態と上記ロック解除状態を保持するペダルロック手段を設け上記荷掛けベルト巻取りドラムからの荷掛けベルトの巻出しと自動巻取りを許容する構成としたものである。
【０００８】
【発明の実施の形態】
以下本発明の実施形態を図１乃至図８に基づき説明する。図１に示すように、手押し台車は荷台１を有し、該荷台１の下面の四コーナー部に車輪１ａを設け、更に該荷台１の後端から左右二本の支柱２を立ち上げ、該支柱２の上端間に把手３を横設し手押し台車を構成している。換言すると荷台１の後端から把手３を立ち上げ、作業者は該把手３を握り、台車を運行する。
【０００９】
上記手押し台車の適所、例えば支柱２間や荷台１の下面又は荷台１の内部に荷掛けベルト巻取りドラム４を設ける。
【００１０】
前記の通り、上記荷掛けベルト巻取りドラム４は既知のものであり、図８に示すように、同ドラム４の周面には荷掛けベルト６が巻装され、該ドラム４内に内蔵した渦巻バネ５により荷掛けベルト６を常にベルト巻取り方向に付勢し、この渦巻バネ５の弾力に抗して荷掛けベルト巻取りドラム４を回転させつつ荷掛けベルト６を巻出し、同バネ５の弾力に従い自動巻取り（自動巻戻し）できる構造を有している。
【００１１】
上記手押し台車の適所、好ましい例示として荷台１の下面に上記荷掛けベルト巻取りドラム４を装備せしめると共に、該荷掛けベルト巻取りドラム４をベルト巻取り方向に間欠送りして上記荷物７に掛け回されている荷掛けベルト６による間欠荷締めを図る間欠荷締め機構Ａを具備せしめ、上記荷締め力の自在なる設定を可能にする。
【００１２】
又上記間欠荷締め機構Ａによって間欠送りされた荷掛けベルト巻取りドラム４を間欠送り位置に保持するロック機構Ｂを具備する。
【００１３】
図８に示すように、上記荷掛けベルト巻取りドラム４は荷台１の上下面と垂直な軸線を中心に回動するように上記荷台１の下面に取り付ける。即ち荷台１の上下面と平行に水平回転するように取り付ける。
【００１４】
上記荷掛けベルト巻取りドラム４はドラムケース８内に収容してケース底板９にドラム軸１０を直立し、該ドラム軸１０に荷掛けベルト巻取りドラム４を回転可に軸支する。従ってドラムケース８と荷掛けベルト巻取りドラム４とは一体組み構造である。
【００１５】
例えば図示の如く、ケース底板９の対向する二辺から側板１１を立ち上げた略コ字形のドラムケース８を形成し、該側板１１の上端を荷台１の下面に充い螺子１２により取り付ける。
【００１６】
次に上記間欠荷締め機構Ａとロック機構Ｂに関する具体構造例について説明する。
【００１７】
上記荷掛けベルト巻取りドラム４の一端側に、該ドラム軸１０を中心にして該ドラム４と一体に回転する爪車１３を設ける。荷掛けベルト巻取りドラム４は荷掛けベルト６を巻装する筒部１４の他端にこれと一体なベルト規制フランジ１５を有し、一端にこれと一体な上記爪車１３を有し、筒部１４とベルト規制フランジ１５と爪車１３とで画成された環状溝内に上記荷掛けベルト６を巻装している。
【００１８】
更に上記筒部１４内に上記渦巻バネ５を内蔵し、該渦巻バネ５の内端をドラム軸１０に固定し、同外端を筒部１４に固定して荷掛けベルト巻取りドラム４のベルト巻出し方向の回転に伴って巻締めし、巻戻し力を蓄える構造を有している。
【００１９】
上記爪車１３はベルト規制フランジ１５と協働して荷掛けベルト６を規制するフランジを兼用しており、この爪車１３を上記ドラム軸１０の下端、即ち荷掛けベルト巻取りドラム４の下端側、即ちケース底板９の内面に近接して水平に配する。
【００２０】
上記爪車１３はその周面に周方向に等間隔に配置した多数の矩形歯１６を有し、該爪車１３の周面に沿い矩形歯１６と協働するロック爪１７と送り爪１８を配する。
【００２１】
上記ロック爪１７はその基端をケース底板９にドラム軸１０と平行で互いに垂直な軸１９によって内外へ回動可に取り付けたロックレバー２０によって構成し、その先端内側に一体に突設したロック用係止爪２１を上記矩形歯１６に係脱可能に爪車１３周面と対向配置にし、該ロックレバー２０をバネ、例えば軸１９に巻装した二股バネから成るロック爪係止用バネ２２により常に係止方向に付勢している。
【００２２】
他方上記ロックレバー２０の軸１９と同軸に解除レバー２３を内外へ回動可に軸支し、該解除レバー２３を該軸１９から爪車１３の周面に沿いロックレバー２０の先方へ伸ばし、該解除レバー２３の先端に後記するロック解除操作用ペダル２５によって牽引される牽引条体２４を連結する。
【００２３】
上記牽引条体２４はドラムケース８の一方のケース側板１１を貫通してペダル２５まで伸ばされ、該牽引条体２４の基端部、即ち解除レバー２３の先端部とケース側板１１間にペダル復帰用コイルバネ（牽引条体復帰用コイルバネ）２８を圧縮状態で介在する。
【００２４】
而して牽引条体２４の牽引力によって上記解除レバー２３を外方へ回動させると、該解除レバー２３の基端部外側面がロックレバー２０に設けた係止片２９に係合して該ロックレバー２０をロック爪係止用バネ２２に抗して外方へ回動せしめ、ロック用係止爪２１を矩形歯１６との係止解除位置へ回動する。
【００２５】
更に上記軸１９と同軸に連結レバー３０を内外へ回動可に軸支し、該連結レバー３０の先端部に軸３３を以って、送り爪１８を形成する送りレバー３２の基端を内外へ回動可に軸支する。
【００２６】
上記送りレバー３２の先端内側に一体に突設した送り用係止爪３４を、上記ロック用係止爪２１の先方において上記矩形歯１６に係脱可能に爪車１３周面と対向配置にしている。
【００２７】
上記連結レバー３０の先端付近と送りレバー３２の先端付近間を、常時引張力を有するコイルバネの如き送り爪後退用コイルバネ３５にて連結する。
【００２８】
更に上記リンク結合したレバー２０，３０，３２の外側、即ちこれらレバーの爪車１３との対向面とは反対側の側面に送り操作用レバー３６を配し、該送り操作用レバー３６の先端部付近と連結レバー３０の先端部付近を節度保持用コイルバネ３１にて連結し、該コイルバネ３１にて送り操作用レバー３６と連結レバー３０に対向方向への牽引力を与え、よって送りレバー３２と連結レバー３０の連結部と送り操作用レバー３６との接触を保持する。
【００２９】
上記送り操作用レバー３６はその中間部を軸１０，１９，３３等と平行で垂直な軸３７を以ってケース底板９に内外へ回動可に軸支し、その基端に上記牽引条体２４と平行に延在した牽引条体３８の内端を連結し、該牽引条体３８の外端を荷台１の後端へ向け延在し、荷台１の後端面から突出して設けたベルト荷締め操作用足踏みペダル３９と連結する。
【００３０】
上記牽引条体３８はドラムケース８の一方のケース側板１１を貫通してペダル３９まで伸ばされ、該牽引条体３８の内端部、即ち送り操作用レバー３６の基端部とケース側板１１間にペダル復帰用コイルバネ（牽引条体復帰用コイルバネ）５０を圧縮状態で介在する。
【００３１】
上記足踏みペダル３９は荷台１の下面に取り付けたブラケット４０に軸４１により前後方向へ回動可に取り付け、足踏みペダル３９を下方へ踏み込んで回動することによって送り操作レバー３６の先端加圧レバー部４２を内方へ回動して連結レバー３０の送りレバー３２との連結部、即ち連結レバー３０の先端部と送りレバー３２の基端部を内方へ押圧し、内方へ回動せしめる。
【００３２】
この結果、バネ３１に抗しこれを伸長させつつ、連結レバー３０が軸１９を中心に内方へ回動すると共に、送りレバー３２が軸３３を中心に送り爪後退用コイルバネ３５に抗してこれを伸長させつつ外方へ回動（連結レバー３０との開角を拡開するように回動）して送り方向へ前進し、矩形歯１６′をベルト巻取り方向に押圧し、爪車１３と一体に荷掛けベルト巻取りドラム４を巻取り方向に一体に間欠回動（間欠送り）する。
【００３３】
上記足踏みペダル３９の踏み込みを解除することによって、バネ３５と後記するペダル復帰用コイルバネ５０により、連結レバー３０の先端加圧レバー部４２が外方へ回動して押圧前の位置へ復帰すると共に、送りレバー３２が上記押し出した矩形歯１６′の後部に隣接する矩形歯１６と送り爪後退用バネ３５により連結レバー３０との開角を縮小方向へ回動して係合するに至り、上記足踏みペダル３９の踏み込みを再び繰り返すことにより、送りレバー３２が軸３３を中心に送り方向へ前進し、この矩形歯１６をベルト巻取り方向に押圧し、爪車１３と一体に荷掛けベルト巻取りドラム４を巻取り方向に一体に間欠回動（間欠送り）する。
【００３４】
即ち足踏みペダル３９を繰り返し踏み込むことによって、送りレバー３２が爪車１３をベルト巻取り方向へ間欠的に回動し、荷物７に掛け回された荷掛けベルト６を間欠的に巻取り方向へ牽引し、よって荷物７に対する段階的に間欠荷締めし、間欠的な送り量によってこの間欠荷締めの強弱を設定する。
【００３５】
上記によってロックレバー２０と連結レバー３０と送りレバー３２とは、軸１９と軸３３によって互いにリンク結合しつつ、バネ２２と３５によって矩形歯１６との係合方向へ常時付勢され、ロック用係止爪２１と送り用係止爪３４とを互いに離間した位置において別々の矩形歯１６に係止し、荷掛けベルト巻取り方向（巻戻し方向）への回転を阻止している。
【００３６】
而して前記の通り、上記解除レバー２３にワイヤー等から成る牽引条体２４の内端を連結し、該牽引条体２４の外端を荷台１の後端へ向け延在し、荷台１の後端面から突出して設けたロック解除操作用足踏みペダル２５と連結する。
【００３７】
上記足踏みペダル２５は荷台１の下面に取り付けたブラケット２６に軸２７により前後方向へ回動可に取り付け、他方該足踏みペダル２５に係脱するペダルロックレバー４４を上記ブラケット２６に軸４５によって回動可に軸支し、該軸４５に巻装した二股バネに代表されるペダルロック解除操作保持用バネ４６によって係止方向に常時弾持する。
【００３８】
よって足踏みペダル２５を下方へ踏み込んで前方へ向け回動することにより、上記牽引条体２４を介して上記解除レバー２３をロック解除方向（外方）に牽引し、且つロックレバー２０をロック解除方向（外方）に回動し、ロック用係止爪２１と矩形歯１６との係合を解除する。
【００３９】
同時に上記送りレバー３２の先端部に設けた滑り子５１を上記解除レバー２３に滑動可に係合し、上記ロック解除操作用ペダル２５の踏み込みに伴う上記解除レバー２３の外方への回動に伴い上記送りレバー３２を連結レバー３０との開角を拡開する方向（外方）へバネ３５に抗して（伸長して）回動し、別の矩形歯１６との係合を解除する。
【００４０】
よって送りレバー３２の送り用係止爪３４を送り解除方向（外方）へ回動し、送り用係止爪３４と先方の矩形歯１６との係合を解除し、ドラム４のフリー回転、即ち荷掛けベルト６の巻出しと自動巻戻しを許容する。
【００４１】
上記踏み込み状態にある足踏みペダル２５に上記ペダルロックレバー４４がバネ４６により自動的に係合し、上記ロック解除状態を保持する。
【００４２】
前記の通り、上記足踏みペダル２５の上方への復帰と上記牽引条体２４の内方へ復帰するためのペダル復帰用コイルバネ２８を有し、該ペダル復帰用コイルバネ２８は牽引条体２４を内方へ牽引し復帰せしめて足踏みペダル２５を上方へ復帰せしめると共に、解除レバー２３を内方へ回動せしめ、この解除レバー２３の内方への回動によりロック爪１７を形成するロックレバー２０を係止片２９により内方へ回動せしめ、ロック爪係止用バネ２２による矩形歯１６との係止状態を形成すると共に、バネ３５により送りレバー３２を送り待機位置、即ち送り後退位置に復帰せしめる。
【００４３】
上記の通り、上記送りレバー３２による送りが完了し、送りレバー３２とロックレバー２０とが前後の矩形歯１６に係合している状態において、ロック解除操作用足踏みペダル２５を下方へ踏み込み操作することによって、解除レバー２３と一緒にロックレバー２０と連結レバー３０と送りレバー３２とを軸１９を中心にして外方へ回動し、上記ロックレバー２０と送りレバー３２の各係止爪２１，３４による矩形歯１６に対する係止を解除する。
【００４４】
上記ロック解除状態において荷掛けベルト６の先端に設けた係止具４３と把手３等との係合を解除することにより、同ベルト６は渦巻バネ５によって荷掛けベルト巻取りドラム４に巻取られる。
【００４５】
又は上記ロック解除状態において巻取り状態にある荷掛けベルト６をドラム４から巻出すことにより、荷台１の前端面から荷台１上の荷物７に掛け回し、上記係止具４３を台車の把手３や荷台１後端等に引っ掛け係合することにより、仮荷締め状態を形成し、この仮荷締め状態の後、上記足踏みペダル３９を繰り返し踏み込むことによって、前記の如き段階的な間欠荷締めを形成し、ロックレバー２０によって、この間欠荷締め状態を維持する。
【００４６】
前記の通り、上記ロック解除操作用足踏みペダル２５の下方への踏み込みによって上記ロック解除状態を形成し、ベルト巻取りと巻出しを可能とするのであるが、この解除状態を維持するため、即ちペダル２５の踏み込み状態を維持するため、前記ペダルロックレバー４４を備える。
【００４７】
上記ペダルロックレバー４４は回動軸４５を境とする上端部に、ペダル２５の回動軸２７を境とする上端部の係止段部４７に係合する係止爪４８を有し、この係止爪４８が係止段部４７に係止することによって、ペダル２５の踏み込み状態、即ちロック解除状態を維持し、上記ペダルロックレバー４４の下端部に足踏み部４９を設け、この足踏み部４９を踏み込むことによって上記ペダルロックレバー４４をバネ４６に抗して回動し、上記ペダル２５に対するロックを解除する。
【００４８】
よって牽引条体２４をバネ２８により内方へ復動し、ロックレバー２０と連結レバー３０と送りレバー３２を内方へ回動し、矩形歯１６に対するロック状態を形成する。
【００４９】
【発明の効果】
本発明によれば、荷掛けベルトによる荷締め力の強弱を段階的に設定でき、同荷締め力の自在なる設定を可能とする。
【００５０】
又従来の荷掛けベルト巻取りドラムに内蔵せるベルト巻戻し用渦巻バネの弾性劣化に伴い、ベルト巻取り力が減殺されて荷締め力を喪失する問題をも適切に解決する。
【図面の簡単な説明】
【図１】手押し台車における荷掛けベルトによる荷締め状態を示す斜視図。
【図２】上記手押し台車における間欠荷締め機構とロック機構との配置状態を概示する荷台下面図。
【図３】上記間欠荷締め機構の間欠送り待機状態を示す下面図。
【図４】同送り状態を示す下面図。
【図５】同ロック解除状態を示す下面図。
【図６】ベルト荷締め操作用足踏みペダルの動作を示す側面図。
【図７】Ａはロック解除操作用ペダルの踏み込み前の上記ロック状態を示し、Ｂは同ペダルの踏み込み後のロック解除動作を示す側面図。
【図８】荷掛けベルト巻取りドラムの荷台下面への取り付け状態を示す断面図。
【符号の説明】
１            荷台
１ａ          車輪
２            支柱
３            把手
４            荷掛けベルト巻取りドラム
５            渦巻バネ
６            荷掛けベルト
７            荷物
８            ドラムケース
９            ケース底板
１０          ドラム軸
１１          ケース側板
１２          螺子
１３          爪車
１４          筒部
１５          ベルト規制フランジ
１６，１６′  矩形歯
１７          ロック爪
１８          送り爪
１９          軸
２０          ロックレバー
２１          ロック係止用係止爪
２２          ロック係止用バネ
２３          解除レバー
２４          牽引条体
２５          ロック解除操作用ペダル
２６          ブラケット
２７          軸
２８，５０    ペダル復帰用コイルバネ
２９          係止片
３０          連結レバー
３１          節度保持用コイルバネ
３２          送りレバー
３３          軸
３４          送り用係止爪
３５          送り爪後退用コイルバネ
３６          送り操作用レバー
３７          軸
３８          牽引条体
３９          ベルト荷締め操作用足踏みペダル
４０          ブラケット
４１          軸
４２          先端加圧レバー部
４３          係止具
４４          ペダルロックレバー
４５          軸
４６          ペダルロック解除操作保持用バネ
４７          係止段部
４８          係止爪
４９          足踏み部
５１          滑り子
Ａ            間欠荷締め機構
Ｂ            ロック機構
【図１】
0003563061.tif 000002
【図２】
0003563061.tif 000003
【図３】
0003563061.tif 000004
【図４】
0003563061.tif 000005
【図５】
0003563061.tif 000006
【図６】
0003563061.tif 000007
【図７】
0003563061.tif 000008
【図８】
0003563061.tif 000009